(57)【要約】【課題】  雨水等の流路中にゴミや枯れ葉が詰まりにくく、しかも配管の取り換えやメンテナンス時の手間が掛からず、かつ建築物の壁面に付く傷が少ない雨水貯水槽用配管構造を安価に提供する。【解決手段】  雨水貯水槽用配管に用いられる取水器の短管状本体部の内径が接続される排水管の外径よりも大きくされ、排水管用接続口に挿入接続される排水管の先端部が短管状本体部の内部側に突出され、短管状本体部の下部内周面と排水管の先端部外周面との間に隙間が設けられ、短管状本体部に流入する雨水が前記隙間に流れ込み、この隙間の底面の高さ位置と取水管用接続口に接続される取水管の管底内面の高さ位置とが略同一となるようにされている。【選択図】  図１
2006257838.tif 000002
【特許請求の範囲】
【請求項１】
雨水を貯水槽に導く雨水貯水槽用配管に用いられ、三方継手タイプの短管状本体部の上端部に雨水流入管用接続口と、側部に取水管用接続口と、下端部に排水管用接続口が設けられた取水器において、
前記短管状本体部の内径が接続される排水管の外径よりも大きくされ、排水管用接続口に挿入接続される排水管の先端部が短管状本体部の内部側に突出され、短管状本体部の下部内周面と排水管の先端部外周面との間に隙間が設けられ、短管状本体部に流入する雨水が前記隙間に流れ込み、この隙間の底面の高さ位置と取水管用接続口に接続される取水管の管底内面の高さ位置とが略同一となるようにされていることを特徴とする雨水貯水槽用配管構造。
【請求項２】
雨水を貯水槽に導く雨水貯水槽用配管において、
取水器に接続された取水管と排水管とが建物の壁面に沿って垂直方向に隣り合って並列に配置され、排水管は複数個の竪樋固定具で建物の壁面に固定され、一方、取水管は２連タイプの管連結具にて、建物の壁面に固定されることなく、前記排水管と一緒に連結されていることを特徴とする雨水貯水槽用配管構造。
【発明の詳細な説明】
【技術分野】
【０００１】
本発明は、雨水を貯水槽に導く雨水貯水槽用配管の構造に関する。
【背景技術】
【０００２】
従来、雨水の有効利用を目的として、竪樋内を流れる雨水を取水して雨水貯水槽に貯留することが行われている。この配管は、流入雨水からゴミや落ち葉等を分離しつつ雨水を取水する取水器と、取水器に接続される排水管と取水管とから構成される。
【０００３】
取水器としては、例えば、上下面が開口された管体からなる取水装置本体１の内壁面１３に沿って傾斜する案内溝２を周設するとともに該案内溝２の下位部分に互いに連通する取水口３を設けてなる雨水貯水槽用取水装置において、上記案内溝２の下面に該案内溝２の内周側面２２を基端として先端部側が取水装置本体１の内壁面１３に近接するように傾設された排水案内板４を形成せしめてなることを特徴とする雨水貯水槽用取水装置が知られている（例えば、特許文献１参照。）。
【０００４】
この取水装置は、通常降雨時の竪樋内壁面に沿って流れる雨水を取水装置上部で取水し、大雨時の竪樋の軸心部分を流下する雨水を取水装置下部で取水する、上下２個所の取水部を有する取水装置であり、降雨量が多い場合に、短時間に大量の雨水を取水することができるものである。
【０００５】
しかしながら、この取水装置では、取水装置本体内周面に周設された傾斜する案内溝と、案内溝の下部に設けられた複数の排水案内板とが一体となるように形成されている。それゆえ、雨水等が流れる面積が狭くなってしまって、ゴミや枯れ葉等が雨水等の流路に詰まり易くなるという問題がある。
【０００６】
加えて、上記構造自体が複雑な形状であるので、取水装置の製造に手間が掛かって高価なものになる。従って、これを用いて雨水貯水槽用管路を配管するとコストが大きくなってしまうという問題点がある上、万一取水装置が汚れたり、あるいは損傷を受けたりして、メンテナンスが必要となった場合にその作業がし難くなったり、又、取水装置を取り換えたりする必要が生じた場合コストが掛かってしまうという問題点がある。
【０００７】
また、通常、取水器は竪樋の上方位置に配置され、取水器に接続される排水管と取水管とは下方向に建物の壁面に沿って配管される。この時、配管は竪樋固定具によって固定される。
【０００８】
竪樋固定具としては、例えば、環状の竪樋把持環の一部に取付杆固定部を側設し、この固定部に竪樋取付具を建物の壁面に固定するための取付杆や釘を装着した竪樋固定具が知られている（例えば、特許文献２参照。）。
【０００９】
しかしながら、この竪樋固定具は、把持環で竪樋を１本だけ把持してこれを建物の壁面に取り付けるので、例えば排水管と取水管のように、２本の竪樋を取り付ける場合は、この竪樋固定具を２個用いる必要がある。従って、この場合は部材と取り付け手間が２倍となり、しかも竪管を取り換えたり撤去した場合に、建物の壁面に竪樋固定具の取り付け跡が多く残ったりすると言う問題点がある。
【特許文献１】実開平７−２６４５７号公報（請求項１、図３）
【特許文献２】実開平１−７０９２７号公報（請求項１、第１図）
【発明の開示】
【発明が解決しようとする課題】
【００１０】
本発明は、雨水等の流路中にゴミや枯れ葉が詰まりにくく、しかも配管の取り換えやメンテナンス時の手間が掛からず、かつ建物の壁面に付く傷が少ない雨水貯水槽用配管構造を安価に提供する目的でなされたものである。
【課題を解決するための手段】
【００１１】
請求項１記載の発明は、雨水を貯水槽に導く雨水貯水槽用配管に用いられ、三方継手タイプの短管状本体部の上端部に雨水流入管用接続口と、側部に取水管用接続口と、下端部に排水管用接続口が設けられた取水器において、前記短管状本体部の内径が接続される排水管の外径よりも大きくされ、排水管用接続口に挿入接続される排水管の先端部が短管状本体部の内部側に突出され、短管状本体部の下部内周面と排水管の先端部外周面との間に隙間が設けられ、短管状本体部に流入する雨水が前記隙間に流れ込み、この隙間の底面の高さ位置と取水管用接続口に接続される取水管の管底内面の高さ位置とが略同一となるようにされていることを特徴とする雨水貯水槽用配管構造である。
【００１２】
請求項２記載の発明は、雨水を貯水槽に導く雨水貯水槽用配管において、取水器に接続された取水管と排水管とが建物の壁面に沿って垂直方向に隣り合って並列に配置され、排水管は複数個の竪樋固定具で建物の壁面に固定され、一方、取水管は２連タイプの管連結具にて、建物の壁面に固定されることなく、前記排水管と一緒に連結されていることを特徴とする雨水貯水槽用配管構造である。
【００１３】
本発明における雨水貯水槽用配管の管、取水器等の材料としては、ステンレス等の金属でも合成樹脂でもよい。しかしながら、加工が容易なこと、耐食性に優れかつ計量であること、安価であること等から塩化ビニル系樹脂製が好ましい。
【００１４】
集水器は、三方継手タイプの短管状本体部の上端部に雨水流入管用接続口、側部に取水管用接続口、下端部に排水管用接続口がそれぞれ設けられている。各接続口は、接着タイプあるいはゴム輪タイプの受口であれば良い。短管状本体部の内径は、排水管用接続口に接続される排水管の外径よりも大きくされている。排水管は、その先端部が排水管用接続口から短管状本体部の内部側に突出するように接続口から挿入され、材質に応じて例えば接着剤等で排水管接続口に接続される。
【００１５】
この結果、集水器の短管状本体部の下部内周面と排水管の先端部外周面との間に有底の隙間ができる。雨水流入管用接続口に接続される雨水流入管から短管状本体部に流入する雨水は通常の降雨量の場合は雨水流入管の内周面に沿って流れ、そのまま短管状本体部の内周面に沿って流れて隙間に流れ込むことになる。
【００１６】
この時、雨水に含まれる落ち葉やゴミ等は通常水面から浮くように流れる、即ち、雨水流入管の中心部側を雨水の流れに乗って流れるので、上記隙間には流れ込み難く、大部分は短管状本体部の中央側に位置している下方の排水管側に流れる。従って集水される雨水には、ゴミや落ち葉等はほとんど含まれない。
【００１７】
上方の雨水流入管と下方の排水管とは異なる口径であっても良いが、雨水がスムースに流れるように、排水管の口径を雨水流入管と同じ口径とするのが好ましい。降雨量が多い場合には、雨水は流入管の内周面に沿って流下するのみならず中心部側にも流れることになるが、ゴミ等はやはり排水管側に流れ、取水管側には流れ難い。また、排水管の口径が雨水流入管の口径とほぼ同じであるので、流入管を流下してきたゴミや枯れ葉等は、排水管の中で詰まることはない。
【００１８】
上記取水管用接続口は、接続される取水管の管底内面の高さ位置が上記隙間の底面の高さ位置とほぼ同一となるように設けられる。従って、上記隙間に流れ込んだ雨水は、スムースに取水管側に流れ込んでいく。なお、図３に示すように、排水管用接続口の奥部上端面（つまり、上記隙間の底面）を、短管状本体部の排水管用接続口の反対側位置を起点として排水管用接続口に向かって下向きに傾斜させると、隙間に流れ込んだ雨水は取水管側によりスムースに流れ込むようになる。
【００１９】
取水管用接続口に接続された取水管がエルボ継手等を介して下方に向きを変えられ、排水管と隣り合って並列に建物の壁面に垂直方向に配置されることになるが、本発明においては、排水管は複数個の竪樋固定具で建物の壁面に固定され、一方、取水管は建物の壁面に固定されることなく、２連タイプの管連結具にて排水管と一緒に連結される。この結果、取水管は相対的に壁面に対して固定されることになる。
【００２０】
管連結具は、それぞれが開閉自在とされた２個の竪樋把持環が、環の中心軸が並列になるように互いの環の外周の一部が連結されたものであり、竪樋把持環は、排水管又は取水管を把持して互いの相対的な位置を固定する。管連結具は曲げ強度や耐候性に優れたものであれば、ステンレス等の金属製でも合成樹脂製でもよい。
【００２１】
それぞれの把持環は開閉自在とされているが、その開閉構造は、竪樋固定具と同様の構造とされれば良く、例えば、略２分割された把持環の分割片の一方の端部同士が蝶番状に開閉され、他端同士を受け掛け構造で掛かり止めする方法等が挙げられる。
【発明の効果】
【００２２】
請求項１記載の発明においては、短管状本体部の内径が接続される排水管の外径よりも大きくされ、排水管用接続口に挿入接続される排水管の先端部が短管状本体部の内部側に突出されているので、短管状本体部の下部内周面と排水管の先端部外周面との間に有底の隙間ができる。雨水流入管の内周面を伝って流れ、短管状本体部に流入する雨水は、上記隙間に流れ込んで取水管側に流れる。この時、雨水中に混在するゴミや枯れ葉等は、水面側即ちに短管状本体部の中心部側に集まるので、これらは排水管に流れ込み取水管側には流れ込まない。それゆえ、取水管にはゴミ等のない雨水が取水される。
【００２３】
そして、上記有底隙間の底面の高さ位置と、取水管用接続口に接続される取水管の管底内面の高さ位置とが略同一となるようにされているので隙間の容積が大きくなり、降水量が多い場合でもスムースに雨水が取水管に流れ込み、効率よく取水することができる。
【００２４】
しかも、排水管用接続口に排水管を挿入して、排水管の先端部を短管状本体の内側に突出させて固定するだけで、上記隙間を形成させることができ、構造が簡単で施工が容易である。従って、材料加工費がかからず、施工手間も少なくてすむ。
【００２５】
請求項２記載の発明においては、取水器に接続された取水管と排水管とが建物の壁面に沿って垂直方向に隣り合って並列に配置される場合、排水管を複数個の竪樋固定具で建物の壁面に固定し、一方、取水管を建物の壁面に固定することなく、２連タイプの管連結具にて排水管と一緒に連結するだけでいいので、竪樋固定具による管固定用の傷が１本分だけで済む。従って、建物の壁面の損傷が少なくなって建物の耐久性が低下し難くなると共に、配管を取り外した後も壁面の傷が目立ち難くなる。
【発明を実施するための最良の形態】
【００２６】
次に図面を参照して本発明を説明する。
図１は本発明の雨水貯水槽用配管構造の一例を示す概略正面図である。図２は図１における取水器を示す断面図である。図３は取水器の変形例を示す断面図である。図４は図１における管連結具を示す平面図である。
【００２７】
図１において、本発明の雨水貯水槽用配管Ｐの構造においては、三方継手タイプの取水器１に接続された取水管３と排水管４とが、建物の壁面に沿って垂直方向に隣り合って並列に配置され、排水管４が２個の竪樋固定具５で建物の壁面に固定されている。一方、取水管３は、竪樋固定具５の近傍位置で、図４にて示す２連タイプの管連結具６で２箇所が連結されている。
【００２８】
図２において、雨水貯水槽用配管Ｐには、短管状本体部１１の上端部に雨水流入管用受口１２と、側部に取水管用受口１３と、下端部に排水管用受口１４を備えた取水器１が設けられている。取水器１の短管状本体部１１の内径は、排水管４の外径よりも大きくされている。排水管用受口１４に接続された排水管４の先端部は、短管状本体部１１の内部側に突出しており、短管状本体部１１の下部内周面と、短管状本体部１１の内部側に突出している排水管４の外周面との間で有底の隙間１５が形成されている（図２を参照）。
【００２９】
通常、雨水は雨水流入管２の内周面を伝って流下する。そして、雨水流入管２を通じて短管状本体部１１内に流入する雨水は隙間１５に流れ込む。従って、雨水中に含まれるゴミや枯れ葉などは、水面側即ち取水器１の中心部側に集まるので、そのまま排水管４側に流れ込む。上方の雨水流入管２と下方の排水管４との径が同じとされていても、ゴミや枯れ葉等は、流下する雨水の流れに浮いて取水器１の中心部側に集まるので、そのまま排水管４に流れ込む。従って、取水管３が詰まることがなく、排水管４と流入管２の口径がほぼ同じであれば、排水管４にゴミや枯れ葉等が詰まることもない。
【００３０】
取水管用受口１３は、この受口１３に接続される取水管３の管底内面の高さ位置と隙間１５の底面の高さ位置とがほぼ同じとなるように設けられている。従って、隙間１５に流れ込んだ雨水は取水管３側にスムースに流れる。
【００３１】
なお、図３に示すように、排水管用受口１４の上端部が、短管状本体部１１の内周面の排水管用受口１４の反対側位置を起点として、排水管用受口１４に向かって下り勾配で傾斜するようにされていても良い。この形状とすると、隙間１５に流れ込んだ雨水は、更にスムースに取水管４側に流れ込むので、降水量が多い場合は特に好都合である。
【００３２】
雨水流入管用受口１２及び取水管用受口１３の奥部には、それぞれ管の過挿入を防止する段部１２１、１３１が設けられている。従って、管接続時には、管の挿入先端が段部に当たるまで差し込めば良い。これに対して、排水管用受口１４には同様の段部が設けられない。従って、排水管４の先端部を必要な長さ分だけ短管状本体部１１内に突出させることが可能である。
【００３３】
排水管４を排水管用受口１４に固定する方法は、どのような方法であっても構わない。例えば一例として、排水管４の端部外周面に、排水管４の先端部を取水器１内に必要な長さだけ突出させる挿入長さの目安を示す目印線（図示せず）を、排水管４の外面の周に沿って罫書く。次いで、排水管４の先端部に、材質に応じた接着剤等（図示せず）を塗布し、排水管接続口１４の下方から取水器１内に挿入し、目印線が排水管接続口１４に一致したら、その位置で挿入を停止して接着剤が固化するまでその位置を維持する。接着剤が固化したら接続が終了である。
【００３４】
図４は管連結具６の一例の構造を示す。管連結具６は、それぞれが開閉自在とされた２個の管把持環６１、６２が、環６１、６２の中心軸が並列になるように互いの環６１、６２の外周の一部が連結部６３で連結されたものであり、管把持環６は、取水管３又は排水管４を把持して互いの相対的な位置を固定する。
【００３５】
それぞれの把持環６１、６２は、管を把持する時に作業が容易なように、開閉自在とされている。その開閉構造は、竪樋固定具５と同様の構造とされれば良く、例えば、図４の把持環６１の場合では、略２分割された把持環６１の分割片６１１、６１２の突き合わされた一方端部を蝶番状に開閉自在に連結し、他端同士を受け掛け構造で掛け止めする方法等が挙げられる。取水管３又は排水管４を把持するときは、分割片６１１、６１２を開き、管を割り環に入れてから分割片を閉じ、突き合わされる端部同士を掛け止めすれば良い。把持環６２においても同様である。
【図面の簡単な説明】
【００３６】
【図１】本発明の雨水貯水槽用配管構造の一例を示す概略正面図である。
【図２】図１における取水器を示す断面図である。
【図３】取水器の変形例を示す断面図である。
【図４】図１における管連結具を示す平面図である。
【符号の説明】
【００３７】
１  取水器
１１  短管状本体部
１２  雨水流入管用受口
１３  取水管用受口
１４  排水管用受口
１５  隙間
２  雨水流入管
３  取水管
４  排水管
５  竪管固定具
６  管連結具
Ｐ  雨水貯水槽用配管
【図１】
2006257838.tif 000003
【図２】
2006257838.tif 000004
【図３】
2006257838.tif 000005
【図４】
2006257838.tif 000006